(57)【要約】【課題】記録媒体の主面に可視情報を印刷する際に用いる記録媒体処理装置，印刷方法およびコンピュータプログラムを提供すること。【解決手段】本発明による記録媒体処理装置１００は，記録媒体２００の記録面に形成されたトラックを追跡してデータ信号を読込むヘッド部１４０と，前記データ信号に基づいて記録媒体の回転角情報を検出する信号処理部３００と，前記回転角情報を参照して前記記録媒体の記録面と異なる主面に可視情報を印刷する印刷部と，を含むことを特徴とする。【選択図】    図１１
2007280510.tif 000002
【特許請求の範囲】
【請求項１】
記録媒体の記録面に形成されたトラックを追跡してデータ信号を読込むヘッド部と；
前記データ信号に基づいて記録媒体の位置情報を検出する信号処理部と；
前記位置情報を参照して前記記録媒体の非記録面に可視情報を印刷する印刷部と；
を含むことを特徴とする，記録媒体処理装置。
【請求項２】
前記信号処理部は，
前記データ信号に基づいて再生クロックを生成するクロック生成部と；
前記再生クロックをカウントするカウンタと；
前記カウンタの値から前記記録媒体の位置情報を検出する位置検出部と；
を含むことを特徴とする，請求項１に記載の記録媒体処理装置。
【請求項３】
前記クロック生成部は，前記データ信号に含まれる同期信号に基づいて再生クロックを生成することを特徴とする，請求項２に記載の記録媒体処理装置。
【請求項４】
前記トラックは螺旋状に形成されており，前記位置検出部は，前記ヘッド部が追跡する前記トラックの半径距離を考慮して前記記録媒体の位置情報を検出することを特徴とする，請求項２に記載の記録媒体処理装置。
【請求項５】
前記信号処理部は，
前記トラックを構成する各物理セクタのアドレス情報を検出するアドレス検出部と；
前記アドレス情報が所定値であった場合に前記カウンタの値をリセットするリセット信号生成部と；
をさらに含むことを特徴とする，請求項２に記載の記録媒体処理装置。
【請求項６】
前記ヘッド部が前記トラックの所定のジャンプ位置に到達すると，前記ヘッド部を内周側にトラックジャンプさせるドライブ制御部をさらに含むことを特徴とする，請求項５に記載の記録媒体処理装置。
【請求項７】
前記クロック生成部は，前記ヘッド部がトラックジャンプを開始してから所定期間は，それまで生成していた再生クロックの生成を維持することを特徴とする，請求項６に記載の記録媒体処理装置。
【請求項８】
前記クロック生成部は，前記同期信号の周期を検出し，該同期信号の周期が異常であると判断した期間は，それまで生成していた再生クロックの生成を維持することを特徴とする，請求項６に記載の記録媒体処理装置。
【請求項９】
記録媒体の記録面に形成されたトラックをヘッド部が追跡してデータ信号を読込むステップと；
前記データ信号に基づいて再生クロックを生成するステップと；
前記再生クロックをカウントするステップと；
前記トラックを構成する各物理セクタのアドレス情報を検出するステップと；
前記ヘッド部が所定のジャンプ位置に到達した場合には，前記ヘッド部を内周側にトラックジャンプさせるステップと；
前記アドレス情報が所定値であった場合に前記カウントされた値をリセットするステップと；
前記カウンタの値から前記記録媒体の位置情報を検出するステップと；
前記位置情報に基づいて前記記録媒体の非記録面に可視情報を印刷するステップと；
を含むことを特徴とする，印刷方法。
【請求項１０】
コンピュータをして，
記録媒体の記録面に形成されたトラックをヘッド部が追跡してデータ信号を読込むヘッド部と；
前記データ信号に基づいて再生クロックを生成するクロック生成部と；
前記再生クロックをカウントするカウンタと；
前記トラックを構成する各物理セクタのアドレス情報を検出するアドレス情報検出部と；
前記ヘッド部が所定のジャンプ位置に到達した場合には，前記ヘッド部を内周側にトラックジャンプさせるドライブ制御部と；
前記アドレス情報が所定値であった場合に前記カウントされた値をリセットするリセット信号を生成するリセット信号生成部と；
前記カウンタの値から前記記録媒体の位置情報を検出する位置検出部と；
前記位置情報に基づいて前記記録媒体の非記録面に可視情報を印刷する印刷部と；
を含むことを特徴とする記録媒体処理装置として機能せしめる，コンピュータプログラム。
【発明の詳細な説明】
【技術分野】
【０００１】
本発明は，記録媒体の非記録面に可視情報を印刷する際に用いる記録媒体処理装置，印刷方法およびコンピュータプログラムに関する。
【背景技術】
【０００２】
近年，映像や音声をデジタル形式で記録するメディアとして，記録媒体である光ディスクが急速に普及している。特に，光ディスクに記録した内容に関する情報（可視情報）をディスク表面に表示できることから，インクジェットプリンタにより印刷可能な印刷面（レーベル面）を備えた光ディスクが注目を集めている。
【０００３】
このような光ディスクに可視情報を印刷する装置としては，例えば，印刷機能を有する光記録再生装置があげられる（特許文献１参照。）。上記光記録再生装置は，スピンドルモータにより光ディスクを回転させながら可視情報を印刷する際に，スピンドルモータに取付けられたロータリエンコーダを用いて，スピンドルモータの回転角と相対的に表される光ディスクの回転角を検出しながら可視情報の印刷位置を調整していた。
【０００４】
一方，光ディスクに専用の回転角検出用の信号を記録し，さらに該信号を検出するための専用のセンサを設ける技術も提案されている。
【特許文献１】特開平１１−１３４６４８号公報
【発明の開示】
【発明が解決しようとする課題】
【０００５】
しかし，光ディスクの回転角とスピンドルモータの回転角との関係は光ディスクが着脱される度に変化するため，従来の光記録再生装置では，光ディスクの絶対的な回転角を検出することができなかった。したがって，従来の光記録再生装置は，既に可視情報の印刷された光ディスクの未印刷領域を認識し，該未印刷領域に新たな可視情報を追記することができないという問題があった。また，回転角検出用に専用の信号やセンサを設けることは煩雑であった。
【０００６】
そこで，本発明は，上記問題に鑑みてなされたものであり，本発明の目的とするところは，記録媒体に専用の信号を記録することなく，記録媒体の絶対的な位置情報をリアルタイムで検出しながら，可視情報を高い精度で印刷することが可能な，新規かつ改良された記録媒体処理装置，印刷方法およびコンピュータプログラムを提供することにある。
【課題を解決するための手段】
【０００７】
上記課題を解決するために，本発明のある観点によれば，記録媒体の記録面に形成されたトラックを追跡してデータ信号を読込むヘッド部と，データ信号に基づいて記録媒体の位置情報を検出する信号処理部と，位置情報を参照して記録媒体の非記録面に可視情報を印刷する印刷部と，を含むことを特徴とする，記録媒体処理装置が提供される。かかる構成によれば，印刷部は，信号処理部が検出する記録媒体の絶対的な位置情報をリアルタイムで参照しながら，非記録面に可視情報の印刷をすることができる。
【０００８】
信号処理部は，データ信号に基づいて再生クロックを生成するクロック生成部と，再生クロックをカウントするカウンタと，カウンタの値から記録媒体の位置情報を検出する位置検出部と，を含むとしてもよい。上記再生クロックの周波数は，上記アドレス情報を検出する周波数やロータリーエンコーダが発生するパルス周波数より高精度である。したがって，カウンタが再生クロックをカウントし，位置検出部が該カウント値から高精度な位置情報を検出することができる。
【０００９】
クロック生成部は，データ信号に含まれる同期信号に基づいて再生クロックを生成するとしてもよい。かかる構成により，クロック生成部は，高精細でデータ信号に周期的に含まれる同期信号に基づいて，精度が高く安定した再生クロックを生成することができる。
【００１０】
信号処理部は，トラックを構成する各物理セクタのアドレス情報を検出するアドレス検出部と，アドレス情報が所定値であった場合にカウンタの値をリセットするリセット信号生成部とをさらに含むとしてもよい。かかる構成によれば，カウンタがリセットされるまでにカウントする値と，現在のカウント値に基づいて記録媒体の位置情報を検出することができる。
【００１１】
トラックは螺旋状に形成されており，ヘッド部はトラックの所定のジャンプ位置に到達すると内周側にトラックジャンプするとしてもよい。かかる構成によれば，ヘッド部が追跡するトラックの半径距離をほぼ一定に保つことができるので，データ信号の読込み速度およびクロック再生部により生成される再生クロックの周期もほぼ一定に保つことができる。
【００１２】
クロック生成部は，ヘッド部がトラックジャンプを開始してから所定期間は，それまで生成していた再生クロックの生成を維持するとしてもよい。かかる構成により，再生クロックが乱れることが予想されるトラックジャンプ中およびトラックジャンプ後の期間に，正常な再生クロックを生成することができる。
【００１３】
クロック生成部は，同期信号の周期を検出し，該同期信号の周期が異常であると判断した期間は，それまで生成していた再生クロックの生成を維持するとしてもよい。かかる構成によれば，トラックジャンプ中およびトラックジャンプ後の期間に限らず，同期信号が異常であると判断された期間でも，正常な再生クロックを生成することが可能となる。
【００１４】
また，上記課題を解決するために，本発明の別の観点によれば，記録媒体の記録面に形成されたトラックをヘッド部が追跡してデータ信号を読込むステップと，データ信号に基づいて再生クロックを生成するステップと，再生クロックをカウントするステップと，トラックを構成する各物理セクタのアドレス情報を検出するステップと，ヘッド部が所定のジャンプ位置に到達した場合には，ヘッド部を内周側にトラックジャンプさせるステップと，アドレス情報が所定値であった場合にカウントされた値をリセットするステップと，カウンタの値から記録媒体の位置情報を検出するステップと，位置情報に基づいて記録媒体の非記録面に可視情報を印刷するステップと，を含むことを特徴とする，印刷方法が提供される。
【００１５】
かかる構成によれば，ヘッド部が追跡するトラックの半径距離をほぼ一定に保つことができるので，データ信号の読込み速度および生成される再生クロックの周期もほぼ一定に保つことができる。また，記録媒体の絶対的な位置情報をリアルタイムで参照しながら，非記録面に可視情報の印刷をすることができる。
【００１６】
また，上記課題を解決するために，本発明の別の観点によれば，コンピュータをして，記録媒体の記録面に形成されたトラックをヘッド部が追跡してデータ信号を読込むヘッド部と，データ信号に基づいて再生クロックを生成するクロック生成部と，再生クロックをカウントするカウンタと，トラックを構成する各物理セクタのアドレス情報を検出するアドレス情報検出部と，ヘッド部が所定のジャンプ位置に到達した場合には，ヘッド部を内周側にトラックジャンプさせるドライブ制御部と，アドレス情報が所定値であった場合にカウントされた値をリセットするリセット信号を生成するリセット信号生成部と，カウンタの値から記録媒体の位置情報を検出する位置検出部と，位置情報に基づいて記録媒体の非記録面に可視情報を印刷する印刷部と，を含むことを特徴とする記録媒体処理装置として機能せしめる，コンピュータプログラムが提供される。
【００１７】
かかる構成によれば，ヘッド部が追跡するトラックの半径距離をほぼ一定に保つことができるので，データ信号の読込み速度およびクロック再生部により生成される再生クロックの周期もほぼ一定に保つことができる。また，記録媒体の絶対的な位置情報をリアルタイムで参照しながら，非記録面に可視情報の印刷をすることができる。
【発明の効果】
【００１８】
以上説明したように本発明の記録媒体処理装置，印刷方法およびコンピュータプログラムによれば，記録媒体に専用の信号を記録することなく，記録媒体の絶対的な位置情報をリアルタイムで検出しながら，可視情報を高い精度で印刷することができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
（第１の実施形態）
まず，本発明の第１の実施形態にかかる光ディスク装置について説明する。
【００２１】
図１は，本実施形態による記録媒体処理装置としての光ディスク装置１００の外観図である。光ディスク装置１００は，ハウジング１０４と，開閉スイッチ１０８と，トレイ１３０とを含む。なお，図示の例では，光ディスク装置１００に記録媒体である光ディスク２００が搭載された様子を示している。
【００２２】
ハウジング１０４は，光ディスク装置１００の内部の各構成を覆い，該各構成を塵や埃などの異物の付着や，空気の流れなどの外的要因から保護する。図示の例では，ハウジング１０４が直方体形状である場合を示しているが，円柱形状であってもよく，また，ＰＣやレコーダなどの情報処理装置に光ディスク装置１００を内蔵する場合には，ハウジング１０４を省略するとしてもよい。
【００２３】
開閉スイッチ１０８は，ハウジング１０４の例えば前面に設けられ，ユーザにより押圧されるとトレイ１３０の開閉動作を行う。トレイ１３０は光ディスク２００を搭載できる形状からなり，上記開閉動作によりユーザによる光ディスク２００の着脱を可能とする。また，光ディスク装置１００がＰＣやレコーダなどの情報処理装置に内蔵される場合には，ＰＣやレコーダなどからの開閉指示によりトレイ１３０が開閉動作を行う構成としてもよい。
【００２４】
なお，記録媒体は光ディスク２００に限られること無く，磁気ディスク，光磁気ディスクおよびフラッシュメモリなどの記録媒体であってもよい。また，記録媒体の種類に応じて記録媒体処理装置は，それぞれの記録媒体へのデータの書込みおよび／記録媒体からデータの再生を行う，磁気ディスク装置や光磁気ディスク装置とすることができる。
【００２５】
次に，本実施形態による光ディスク装置１００の内部構成について説明する。
【００２６】
図２は，本実施形態による光ディスク装置１００の内部構成を示した平面図である。図３は、本実施形態による光ディスク装置１００の内部構成を示した側面図である。
【００２７】
光ディスク装置１００は，光ディスク２００のレーベル面に，文字や画像などの可視情報としてのレーベル情報を印刷する印刷部と，光ディスク２００の記録面に，データ信号の記録，または光ディスク２００の記録面からデータ信号を再生するデータ処理部を含む。
【００２８】
印刷部は，プリントヘッド１１０と，インクカートリッジ１１２と，ヘッドキャップ１１４と，吸引ポンプ１１６と，廃インク吸収体１１８と，第一ガイドシャフト１２０と，シャフト支持部１２２と，ブレード１２４と，を含む。
【００２９】
プリントヘッド１１０は，光ディスク２００と対向するノズル面１５０にインクを吐出するノズル列１５２を含み，インクジェット方式により該ノズルから例えば８．４ＫＨｚのインク吐出周波数でインクを吐出する。なお，インクジェット方式は，インクをノズル列１５２から微細な液滴として吐出し、用紙に付着させる方式をいう。
【００３０】
また，プリントヘッド１１０は，印刷時待機時に光ディスク２００の外側に退避し，印刷時に光ディスク２００の上方に配される。また，プリントヘッド１１０は，ノズルの増粘インク，気泡および異物などを排出するために，印刷前や印刷後にインクをダミー吐出する機能を有する。
【００３１】
インクカートリッジ１１２は，所定色のインクを含み，プリントヘッド１１０にインクを供給する。より詳細には，インクカートリッジ１１２は，筒状の樹脂からなる容器であり，スポンジやセラミックなどの多孔質体を内蔵している。そして，該多孔質体の毛細管力によりインクが蓄えられている。インクカートリッジ１１２は，連結部１１３を介してプリントヘッド１１０にインクを供給する。このようなインクカートリッジ１１２は，連結部１１３において着脱可能であるため，インクがなくなった場合には，インクカートリッジ１１２を容易に交換することができる。
【００３２】
ヘッドキャップ１１４は，印刷待機中にプリントヘッド１１０のノズル面１５０に装着され，プリントヘッド１１０が含有するインクの乾燥や，ノズル面１５０へ塵や埃などの異物が付着することを防止する。一方，印刷時には，該ヘッドキャップ１１４はプリントヘッド１１０から離脱される。また，ヘッドキャップ１１４は，多孔質層を備え，プリントヘッド１１０がダミー吐出したインクを一時的に保持する機能を有する。なお，ダミー吐出の際にはヘッドキャップ１１４の内部の空間が大気圧になるよう調節できる弁機構を備える（図示せず。）。
【００３３】
吸引ポンプ１１６は，チューブ１１５を介してヘッドキャップ１１４と接続されており，プリントヘッド１１０にヘッドキャップ１１４が装着されているとき，ヘッドキャップ１１４の内部の空間に負圧を与えてプリントヘッド１１０内のインクを吸引することができる。また，ヘッドキャップ１１４に一時的に保持された，プリントヘッド１１０によりダミー吐出されたインクも吸引することができる。
【００３４】
廃インク吸収体１１８は，チューブ１１７を介して吸引ポンプ１１６に接続されており，吸引ポンプ１１６により吸引されたインクが廃棄される。
【００３５】
第一ガイドシャフト１２０は，プリントヘッド１１０を光ディスク２００の半径方向に移動させる。該移動は，第一ガイドシャフト１２０がボールネジ送り機構によりプリントヘッド１１０を移動させることも，ラック・オピニオン機構，ベルト送り機構およびワイヤ送り機構などにより移動させることもできる。シャフト支持部１２２は，第一ガイドシャフト１２０の一端を支持する。
【００３６】
ブレード１２４は，プリントヘッド１１０の印刷待機位置と印刷位置との間に配され，プリントヘッド１１０が印刷待機位置から印刷位置に移動する際，またはプリントヘッド１１０が印刷位置から印刷待機位置に移動する際に，プリントヘッド１１０のノズル面１５０を払拭し，ノズル面１５０に付着した異物やインクなどを除去する。なお，ブレード１２４を上下に移動させることで，ノズル面１５０を払拭するか否かを選択することができる。
【００３７】
また，データ処理部は，トレイ１３０と，スピンドルモータ１３４と，チャッキング部１３８と，ヘッド部としての光ピックアップ１４０と，移動台１４４と，第二ガイドシャフト１４８とを含む。
【００３８】
トレイ１３０は，光ディスク２００を搭載する形状を有し，図２の左右に移動することで，光ディスク２００の着脱を可能とすることができる。
【００３９】
スピンドルモータ１３４は，モータ駆動回路（図示せず。）から入力される制御信号に基づいて回転し，光ディスク２００のドライバとして機能する。該スピンドルモータ１３４の回転速度は，データ信号の処理時と，レーベル情報の印刷時とで異なるよう設定してもよい。
【００４０】
チャッキング部１３８は，スピンドルモータ１３４の上部と接触する。トレイ１３０に装着された光ディスク２００は，スピンドルモータ１３４の回転に連動して回転し，トレイ１３０から浮上する。チャッキング部１３８は，上記のように光ディスク２００がトレイ１３０から浮上し，離脱することを防止する機能を有する。
【００４１】
光ピックアップ１４０は，光源と，光源から入射されたレーザー光を偏向するビームスプリッタと，光ディスク２００に偏光されたレーザー光を照射する照射部と，光ディスク２００からの反射光を読取る検出部とを含む光学系モジュールである。
【００４２】
移動台１４４は，光ピックアップ１４０を搭載し，光ディスク２００の半径方向に第二ガイドシャフト１４８により移動することができる。
【００４３】
次に，光ディスク２００の構成を図４を用いて説明する。
【００４４】
図４は，光ディスク２００の図２のＡ−Ａ線における断面の概略を示した説明図である。光ディスク２００は，中心孔２１０，記録面２２０およびレーベル面２３０を含む。なお，光ディスク２００としては，例えばＣＤ−Ｒ／ＲＷ，記録可能なＤＶＤ（ＤＶＤ−Ｒ／ＲＷ／＋Ｒ／＋ＲＷ／ＲＡＭなど。）および記録可能なブルーレイディスク（ＢＤ−Ｒ／ＢＤ−ＲＥ）などがあげられる。
【００４５】
中心孔２１０は，スピンドルモータ１３４およびチャッキング部１３８に光ディスク２００を嵌めるための円形の孔である。中心孔２１０の直径は，１５ｍｍ〜１６ｍｍ程度としてもよい。
【００４６】
記録面２２０は，各種情報をピットやマークとして記録するデータ信号記録領域を含む。例えば，ＤＶＤ−Ｒにおいては，データ信号記録領域を螺旋状のランド・グルーブ構造により形成することができ，あらかじめ所定のマーク列が記録されているが，詳細については，図８を用いて後述する。
【００４７】
レーベル面２３０は，インクジェット印刷におけるインクの受容層（可視情報印画層）として機能し，文字，記号および写真などのレーベル情報を印刷することができる。レーベル面２３０の印刷可能な範囲は，光ディスク２００の半径２０ｍｍ〜５７ｍｍの幅３７ｍｍの領域としてもよい。なお，レーベル面２３０は光ディスク２００の一面に追加的に印刷紙を貼り付けることで構成することもできる。
【００４８】
次に，本実施形態による光ディスク装置による印刷部およびデータ処理部の制御の流れを説明する。
【００４９】
図５は，本実施形態による光ディスク装置１００の信号の流れを示したブロック図である。光ディスク装置１００は，インターフェース部１６０と，中央制御部１６２と，レイアウト生成部１６６と，プリント制御部１７０と，インク吐出駆動回路１７４と，機構部駆動回路１７６と，ヘッド駆動モータ１７８と，ドライブ制御部１８０と，記録制御回路１８４と，トレイ駆動回路１８８と，信号処理部３００とを含む。
【００５０】
インターフェース部１６０は，光ディスク装置１００と，外部装置とが信号を交信する接続部である。インターフェース部１６０は，外部から光ディスク２００に記録するデータ信号や，レーベル面に印刷するレーベル情報が入力されると，中央制御部１６２にこれらを出力する。また，光ディスク装置２００が光ディスク２００から再生するデータ信号を外部装置に出力する。外部装置としては，データ信号やレーベル情報の授受を行うＰＣやＤＶＤレコーダなどがあげられる。
【００５１】
中央制御部１６２は，光ディスク装置１００の制御全般を行う。具体的には，インターフェース部１６０から入力されたレーベル情報を必要に応じて極座標変換してプリント制御部１７０へ出力し，データ信号をドライブ制御部１８０へ出力し，プリント制御部１７０およびドライブ制御部１８０を制御する。また，ドライブ制御部１８０から入力される基準情報をプリント制御部に出力する。
【００５２】
図６は，上記極座標変換の工程を示した説明図である。まず，図６（ａ）に示したように，「ＡＢＣＤＥＦＧＨ」の文字列からなるレーベル情報が，インターフェース部１６０を介して中央制御部１６２に入力されたとする。すると，中央制御部１６２は図６（ｂ）に示したように，文字列「ＡＢＣＤＥＦＧＨ」をＸ−Ｙ座標系のデータとしてメモリ上（図示せず。）にイメージを展開する。そして，中央制御部１６２は図６（ｃ）に示したように，Ｘ−Ｙ座標系に展開されたイメージを構成する画素毎に，光ディスク２００の回転中心からの半径（ｒ）を計算し，回転角の原点を基準に角度（θ）を計算して，レーベル情報を極座標系に変換することができる。このような極座標変換されたレーベル情報は一時的に中央制御部１６２に保持される。なお，上記回転角の原点は後述する回転角情報（位置情報）により検出可能である。
【００５３】
かかる構成により，文字列や画像からなるレーベル情報を，レーベル情報が円弧状に印刷されたり歪んで印刷されるという問題を生じることなく，光ディスク２００に印刷することができる。
【００５４】
レイアウト生成部１６６は，光ディスク２００から読出される該光ディスク２００のレーベル面の印刷状況に関する印刷データに基づいて，これから印刷しようとするレーベル情報のレイアウトを生成する。
【００５５】
プリント制御部１７０は，中央制御部１６２からのレーベル情報および回転角情報の入力に基づいて，レーベル情報の印刷を制御する信号をインク吐出駆動回路１０４と，機構部駆動回路１７６に出力する。例えば，プリントヘッド１１０からのインクの吐出を行うか否かを半径距離および回転角に応じて判断し，インク吐出を行うと判断した場合には，インク吐出駆動回路１７４にインク吐出の指示を与える。
【００５６】
インク吐出駆動回路１７４は，プリントヘッド１１０を駆動して，搭載された光ディスク２００にインクを吐出する。例えば，インク吐出駆動回路１７４はプリントヘッド１１０に設けられた電極対であり，該電極対の間には，プリント制御部１７０から入力される信号に基づいて電位差が生じる。すると，該電極対が変形し，プリントヘッド１１０のインクを保持するインクタンク（図示せず。）が圧迫され，インクが吐出される。なお，図示の例では，プリントヘッド１１０のノズル面にインクを水滴状に表している。他にも，熱によるインクの膨張を利用する方式によりインク吐出駆動回路１７４を構成するとしてもよい。
【００５７】
機構部駆動回路１７６は，ヘッドキャップ１１４と，吸引ポンプ１１６，ブレード１２４と，ヘッド駆動モータ１７８とを駆動する。ヘッド駆動モータ１７８は，第一シャフト１２０を回転させ，プリントヘッド１１０を光ディスク２００の半径方向に移動させるモータであってもよい。
【００５８】
ここで，プリント制御部１７０が制御して行うレーベル情報の分割記録法，マルチパス記録法および印刷濃度補正法について簡単に説明する。
【００５９】
分割記録法とは，光ディスク２００が一回転するごとにインク吐出の位相をずらして印刷する方法をいう。例えば，光ディスク２００が一回転するごとにインク吐出の位相を１／４ずらし，光ディスク２００を同一半径距離で４回転させたとする。すると，吐出されたインクの間隔（ドットピッチ）は，インク吐出周波数を４倍にして印刷した場合と同一の間隔となり，精度の高いレーベル情報の印刷を実現することができる。
【００６０】
マルチパス記録法は，上記分割記録法で説明したように，光ディスク２００が一回転するごとにインク吐出の位相をずらすとともに，プリントヘッド１１０も光ディスク２００の半径方向にずらしながら印刷する方法をいう。例えば，プリントヘッド１１０にノズルが光ディスク２００の略半径方向に０．０４２３ｍｍの間隔で３２０個並んでおり，またレーベル情報の印刷可能範囲が光ディスク２００の半径２０ｍｍ〜５７ｍｍの幅３７ｍｍの領域であったとする。
【００６１】
すると，光ディスク２００が一回転するごとに，インク吐出の位相を１／４ずらすと同時に，プリントヘッド１１０の光ディスク２００における半径位置を１／４ヘッド（３．３８４ｍｍ）ずつ移動させながら印刷し，全部で光ディスク２００が１４回転したときに印刷が完了する。かかるマルチパス記録法によれば，ノズルごとのインク吐出量のばらつきを減殺し，印刷品質の向上を図ることができる。
【００６２】
印刷濃度補正法とは，インクのドットピッチを光ディスク２００の印刷領域全体で均一化する方法である。光ディスク２００の角速度およびインク吐出周波数を一定にして印刷を行うと，ドットピッチは印刷位置の半径距離に比例するため，内外周において差が生じることとなる。例えば，レーベル情報の印刷可能範囲を光ディスク２００の半径２０ｍｍ〜５７ｍｍの幅３７ｍｍの領域と，インク吐出周波数を８．４ｋＨｚと仮定すると，最外周の半径５７ｍｍの位置ではドットピッチが０．０４２３ｍｍであるが，最内周の半径２０ｍｍの位置ではドットピッチが０．０１４８ｍｍとなる。
【００６３】
すなわち，最内周では最外周のドットピッチの約１／３倍となるため，印刷濃度は３倍となってしまう。印刷濃度補正法は，かかる問題点を，あらかじめ印刷するレーベル情報を補正して是正する方法である。より詳細には，外部装置から入力されるレーベル情報を極座標系に変換する際に，光ディスク２００の内周におけるレーベル情報を間引くことにより実現される。上記の例では，最内周におけるインクの吐出数が，最外周におけるインク吐出数の１／３となるようにレーベル情報を処理しておくことにより，内外周における印刷濃度差を解消することができる。
【００６４】
なお，光ディスク２００の内外周において，光ディスク２００の回転速度を制御することでも印刷濃度をある程度均一にすることができる。しかし，プリントヘッド１１０には所定の幅があるため，プリントヘッド１１０に含まれる各ノズルの光ディスク２００の半径距離に応じてドットピッチが異なり，印刷濃度差が生じる場合がある。  
【００６５】
ドライブ制御部１８０は，スピンドルモータ１３４および光ピックアップ駆動モータ（図示せず。）の回転を制御する。また，光ピックアップから照射されるレーザーが光ディスク２００のトラックを追跡するようにトラックサーボおよびフォーカスサーボを制御して，光ピックアップ１４０によるデータ信号の再生や記録を制御する。なお，データ信号は光ディスク２００の記録面のトラック上に記録されたピットやマーク列から読取られる情報であって，映像データや音声データに限らず，後述する印刷データも含まれる。
【００６６】
記録制御回路１８４は，データ信号のエンコード処理や，変調などを行う。トレイ駆動回路１８８は，光ディスク２００を搭載するトレイ１３０を駆動する。
【００６７】
スピンドルモータ１３４は光ディスク２００を回転させ，光ピックアップ駆動モータは光ディスクピックアップ１４０の半径方向位置を移動させる。以下，スピンドルモータ１３４による光ディスク２００の回転速度について説明する。
【００６８】
光ディスク２００は，データ信号の記録再生時，通常１０００ｒｐｍ〜数１０００ｒｐｍ程度で回転する。仮に，回転速度が３０００ｒｐｍであった場合には，直径１２０ｍｍの光ディスク２００の最外周では周速が１９ｍ／ｓとなる。また，インク吐出の飛翔速度は，通常５〜２０ｍ／ｓ程度である。ここで周速とは，光ディスク２００上の任意の一点が，光ディスク２００の円周方向に移動する速さを意味し，飛翔速度とは，ノズルから吐出されたインクが，ノズルから１ｍｍ程度まで移動するまでの平均速度を意味する。
【００６９】
したがって，光ディスク２００の回転による空気の流れと，複数のノズル間の飛翔速度のばらつきとによるインクの着弾位置の不均一性を考慮して，光ディスク２００のレーベル情報を印刷する印刷モード時における回転を，周速で２ｍ／ｓ以下，または回転速度を３２０ｒｐｍ以下にするとしてもよい。インクが光ディスク２００に着弾した後に受ける遠心力の影響を考慮しても，光ディスク２００の回転は，上記周速および回転速度程度にすることが効果的である。
【００７０】
他の具体例として，インクの飛翔速度が１０ｍ／ｓを中心に，±１ｍ／ｓの範囲でノズル毎にばらつき，プリントヘッド１１０と光ディスク２００との距離が１ｍｍである場合を想定する。この場合，インクの飛翔時間は最大１１１μｓとなり，最小で９１μｓとなるため，インクの飛翔時間はノズル間で最大２０μｓの差を生じる。したがって，周速が１９ｍ／ｓである円周上にインクを吐出するとインクの着弾位置の誤差は最大で３８４μｍとなり，周速が２ｍ／ｓである円周上にインクを吐出するとインクの着弾位置の誤差は最大で４０μｍとなる。後者の誤差は肉眼でほとんど分からない程度であるが，前者は後者の９倍以上の肉眼でも確認できる程度の誤差である。
【００７１】
以上のように，光ディスク２００の周速が速すぎるとインクの着弾位置の誤差が大きくなるため，本実施形態ではデータ信号の記録とレーベル情報の印刷とを別個の回転速度で行い，例えば，印刷モードにおける光ディスク２００の回転速度を２３８ｒｐｍ（最外周での周速約１．４ｍ／ｓ。）としてもよい。
【００７２】
なお，上記の光ディスク装置１００ではスピンドルモータ１３４により記録媒体である光ディスク２００自体を回転させる例をあげて説明したが，印刷部および記録および／または再生部をドライバにより可動とするとしてもよい。また，記録媒体は光ディスク２００に限られないため，ドライバの駆動による運動は円運動に限られず，例えば直線運動であってもよい。
【００７３】
信号処理部３００は，光ピックアップ１４０から入力されるＲＦ（Ｒａｄｉｏ  Ｆｒｅｑｕｅｎｃｙ）信号の復調，誤り検出および訂正などの処理を行い，データ信号の再生をしたり，トラッキング信号を生成したりする。
【００７４】
また，信号処理部３００は，光ディスク２００の記録面から，光ディスク２００の回転角を示す基準信号を検出しドライブ制御部１８０に出力する。以下，上記基準信号および基準信号を検出する信号処理部３００の詳細について説明する。
【００７５】
通常，モータにより駆動される駆動部の回転角は，モータに取付けられたロータリーエンコーダやタコジェネレータにより検出される。しかし，光ディスク装置１００においては，光ディスク２００が着脱されるたびに，スピンドルモータ１３４の回転角と光ディスク２００の回転角の関係が変化するため，上記ロータリーエンコーダやタコジェネレータでは光ディスク２００の絶対的な回転角を検出することができない。
【００７６】
レーベル情報を印刷する際に，光ディスク２００の絶対的な回転角を検出することは，特に以下の点で重要である。第一に，スピンドルモータ１３４の回転と光ディスク２００の回転が必ずしも一致するわけでなく，また回転角の検出精度が低いため，スピンドルモータ１３４の回転角のみに基づいてレーベル情報を印刷するのでは印刷品質が保証されない。第二に，一度レーベル情報を印刷した光ディスク２００の未印刷領域を利用して，追加的に新たにレーベル情報を印刷しようとしたときに，光ディスク２００のどこが未印刷領域であるかを光ディスク装置１００が認識できず，追記することができないという問題があった。
【００７７】
本発明の実施の一形態によれば，既存の光ディスク２００の記録面のデータ信号の記録パターンに基づいて光ディスク２００の絶対的な回転角を検出することが可能な光ディスク装置１００が提供される。
【００７８】
図７は，光ディスク２００の記録面のトラック構造を示した模式図である。図示したように，光ディスク２００の記録面２２０のトラック４００は螺旋状に形成されている。光ピックアップ１４０は，このようなトラック４００を追跡してデータ信号の再生や記録を行うことができる。
【００７９】
図８は，光ディスク２００の記録面のトラック構造をより詳細に示した模式図である。図９は，トラックを構成する各セクタの構造を示した説明図である。以下，図８および図９を用いて光ディスク２００のセクタ構造について説明する。
【００８０】
トラック４００は複数の連続するセクタから構成され，図示の例では，光ディスク２００の記録面のセクタ４１０〜セクタ４９０までを示している。なお，セクタ４２０とセクタ４３０の間のセクタ，およびセクタ４７０とセクタ４８０の間のセクタは省略している。
【００８１】
このようなセクタ４１０〜セクタ４９０は，図９に示したように，同期パターンＳＹ０４１１と，アドレス情報４１２と，ＩＥＤ情報４１４と，著作権情報（ＣＰＲ−ＭＡＩ）４１６と，ユーザデータ４１７と，ＥＤＣ符号４１８とを含む。
【００８２】
同期パターンＳＹ０は，各セクタの先頭に記録される４バイトの情報であり，アドレス情報４１２の開始時点を示している。また，同期パターンＳＹ１〜ＳＹ７は，１６ビットの区切りを正確に検出するために周期的に各セクタに記録されている。図９においては，図面の明瞭性の観点から，同期パターンは，同期パターンＳＹ０のみを示している。
【００８３】
図１０は，同期パターンの構成を示した説明図である。同期パターン（同期信号）には，ＳＹ０〜ＳＹ７の８通りがあり，さらにそれぞれの同期パターンには４種類の構成が用意されている。これらの同期パターンの後半は１４Ｔと４Ｔの組合せからなり，該組合わせはのユーザデータ４１７の中には現れないため同期パターンであることを判別することができる。
【００８４】
アドレス情報４１２は，各セクタを識別するために，各セクタに記録されている４バイトの情報である。アドレス情報４１２は，光ディスク２００のデータ領域の開始位置（半径２４ｍｍ）において，１６進数表記で「０３００００」が記録されている。このようなアドレス情報４１２は，セクタの並び順に，順次１６進数表記で「１」加算された値が記録される。
【００８５】
ＩＥＤ情報４１４は，アドレス情報４１２が正確に検出されたか否か，またはアドレス情報４１２にビット誤りが生じていないか否かを判定する２バイトの誤り検出符号である。
【００８６】
著作権情報４１６は，著作権を保護する目的で，不正コピーを禁止，制限するために用いられる情報である。
【００８７】
ユーザデータ４１７には，映像データや音声データなどの各種データが記録される２０４８バイトの領域である。なお，上述した同期パターンＳＹ１〜ＳＹ７が周期的に記録されるが図９では省略している。
【００８８】
ＥＤＣ符号（Ｅｒｒｏｒ  ＤｅＴｅｃｔｉｏｎ  Ｃｏｄｅ）４１８は，データのエラーを検出するための４バイトの情報である。
【００８９】
図８において，セクタ４１０は上述した，データ領域の開始セクタである。したがって，アドレス情報４１２は「０３００００」で表される。また，セクタ４１０の直後のセクタ４２０のアドレス情報４１２は「０３０００１」で表される。
【００９０】
一方，このような各セクタの長さはＤＶＤの場合約５ｍｍであるため，アドレス情報４１２が記録されている角度間隔θは，セクタ４１０，４２０を含む半径２４ｍｍの最内周部において，約１２度程度である。したがって，半径２４ｍｍの最内周部のトラックには約３０のセクタが含まれるため，セクタ４３０のアドレス情報４１２は「０３００１Ｄ」で表され，セクタ４４０のアドレス情報４１２は「０３００１Ｅ」で表される。以降，セクタ４５０〜セクタ４９０のアドレス情報４１２も同様な方法により表される。
【００９１】
なお，光ディスク２００の最外周部においても，各セクタの角度間隔θは約５度程度である。したがって，このようなアドレス情報に基づいて光ディスク２００の回転角を検出するのでは，回転角の精度（分解能）が不十分である。
【００９２】
そこで，本発明の実施の一形態の光ディスク装置１００によれば，光ピックアップ１４０が読込むデータ信号から生成される再生クロックに基づいて，光ディスク２００の絶対的な回転角を高精度で検出することができる。以下，図１１を用いて本実施形態による光ディスク装置１００の詳細に説明する。
【００９３】
図１１は，光ディスク装置１００の信号処理部３００の詳細な構成を示した説明図である。信号処理部３００は，ＲＦアンプ３０４と，イコライザ３０８と，２値化部３１２と，ＰＬＬ３１４と，ＮＲＺＩ復調部３１６と，ＳＹ０検出部３１８と，タイミングジェネレータ（ＴＧ）３２０と，８／１６復調部３２２と，レジスタ部３２４と，アドレス出力部３５８と，ＩＥＤチェック回路３６０と，カウンタ３７０と，回転角検出部３８０とを含む。
【００９４】
ＲＦアンプ３０４は，光ピックアップ１４０から入力される高周波信号を増幅してイコライザ３０８に出力する。より詳細には，光ピックアップ１４０により基準信号は電流の強弱として読出され，ＲＦアンプ３０４が該電流の強弱を電流―電圧変換により増幅して，高周波信号を出力する。
【００９５】
イコライザ３０８は，ＲＦアンプ３０４から入力される高周波信号のうち，光ピックアップ１４０の信号の読出し特性により劣化した高い周波数成分を強調する。
【００９６】
２値化部３１２は，イコライザ３０８から入力される高周波信号を「１」または「０」のいずれかに量子化し，２値化高周波信号を出力する。２値化部３１２としては，比較器を用いることができる。
【００９７】
ＰＬＬ３１４は，２値化部３１２から入力される２値化高周波信号に基づいて，具体的には２値化高周波信号に含まれる同期信号の周期に基づいて再生クロックを生成することができる。また，生成した再生クロックをタイミングジェネレータ３２０やカウンタ３７０などに出力する。再生クロックは，ＤＶＤ−Ｒのフォーマットにおいて約１３５ｎｍ刻みに発生する情報である。したがって，後述するカウンタ３７０が該再生クロックをカウントすることにより，光ディスク２００の回転角を，円弧長さ約１３５ｎｍに相当する回転角刻みで検出することができる。
【００９８】
ＮＲＺＩ復調部３１６は，２値化高周波信号のＮＲＺＩ（Ｎｏｎ−Ｒｅｔｕｒｎ−ｔｏ−Ｚｅｒｏ−Ｉｎｖｅｒｓｅ）復調を行う。具体的には，入力される２値化高周波信号の値が遷移した場合に第一レベルの信号を出力し，２値化高周波信号の値が維持されている期間は第二レベルの信号を出力する。
【００９９】
ＳＹ０検出部３１８は，ＮＲＺＩ復調部３１６の出力から同期パターンＳＹ０（図１０に示した４通りのパターンのいずれか）に相当する信号が検出された場合に，タイミングジェネレータ（ＴＧ）３２０に同期パターンＳＹ０検出信号を出力する。
【０１００】
タイミングジェネレータ３２０は，同期パターンＳＹ０検出信号の入力時点を基準に，レジスタ部３２４で用いるタイミングパルスを生成する。
【０１０１】
８／１６復調部３２２は，ＮＲＺＩ復調部３１６の出力を１６ビット分蓄積し，該１６ビット分の出力を所定の８／１６復調方法により８ビットのデータに変換する。
【０１０２】
レジスタ部３２４は，ＩＥＤ０レジスタ３２６と，ＩＥＤ１レジスタ３２４と，ＩＤ０レジスタ３３２と，ＩＤ１レジスタ３３６と，ＩＤ２レジスタ３４０と，ＩＤ３レジスタ３４４とを含み，タイミングジェネレータ３２０から入力されるタイミングパルスに基づいて，８／１６復調部３２２からの出力を上記各レジスタに格納する。このように，レジスタ部３２４はアドレス検出部として機能する。
【０１０３】
具体的には，ＩＥＤ情報４１４の先頭１バイトはＩＥＤ０レジスタ３２６に格納され，次の１バイトはＩＥＤ１レジスタ３２８に格納される。また，アドレス情報４１２の先頭の１バイトはＩＤ０レジスタ３３２に格納され，次の１バイトはＩＤ１レジスタ３３６に格納され，次の１バイトはＩＤ２レジスタ３４０に格納され，最後の１バイトはＩＤ３レジスタ３４４に格納される。そして，各レジスタ３２４〜３５６は，タイミングパルスが入力される度に格納している値を更新する。
【０１０４】
このようにＩＤ０レジスタ３３２〜ＩＤ３レジスタ３４４に格納された値は，アドレス情報４１２を反映しており，アドレス出力部３５８を介してドライブ制御部１８０に出力される。ドライブ制御部１８０は，アドレス情報４１２の入力を受け，光ピックアップが照射するレーザーのセクタ位置を確認することができる。
【０１０５】
ＩＥＤチェック回路３６０は，ＩＥＤ０レジスタ３２６，ＩＥＤ１レジスタ３２８およびアドレス出力部３５８の出力に基づいてＩＥＤ情報４１４が正しいか否かを判断し，正しいと判断した場合にはアドレス情報４１２をドライブ制御部およびカウンタ３７０に出力する。
【０１０６】
カウンタ３７０は，所定のアドレス情報４１２をＩＥＤチェック回路３６０から入力されると，ＰＬＬ３１４から入力される再生クロックのパルス数をカウントし，該カウント値を回転角検出部３８０に出力する。
【０１０７】
回転角検出部３８０は，カウンタ３７０から入力されるカウント値に基づいて光ディスク２００の回転角を検出し，ドライブ制御部１８０に出力し，位置検出部として機能する。具体例としては，上記所定のアドレス情報を「０３００００」とすると，カウンタ３７０は，図８に示したセクタ４１０のデータを光ピックアップ１４０が読み出した時点で再生クロックのカウントを開始する。そして，回転角検出部３８０に再生クロックのカウント値と，光ディスク２００の回転角とを対応付けて記録しておくことにより，カウンタ３７０から入力されるカウント値に基づいて光ディスク２００の回転角を検出することができる。
【０１０８】
なお，光ディスク２００のトラックは螺旋状に形成されているため，ＣＡＶ（Ｃｏｎｓｔａｎｔ  Ａｎｇｕｌａｒ  Ｖｅｌｏｃｉｔｙ）制御においては，光ピックアップ１４０の半径位置が大きくなるにつれて再生クロックの周期が短くなる。したがって，上記の再生クロックのカウント値と，光ディスク２００の回転角とを該再生クロックの周期の不均一性を考慮して対応付けるとしてもよい。
【０１０９】
図１２は，カウンタのカウント値と光ディスク２００の回転角の関係の一例を示した説明図である。横軸はカウンタのカウント値を，縦軸は光ディスク２００の回転角を示している。
【０１１０】
再生クロックの１パルス分に回転する光ディスク２００の回転角は，光ピックアップ１４０の半径位置が長くなるにつれて小さくなる。したがって，図１２に示したように，カウント値が大きくなるにつれてグラフの勾配を緩やかにするとしてもよい。なお，実際にはＤＶＤ−Ｒのフォーマットにおいてトラックピッチはおよそ０．７４μｍであるため，グラフの勾配の変化はやや誇張して示している。
【０１１１】
次に，このような信号処理部３００の動作を説明する。
【０１１２】
図１３は，信号処理部３００の動作の流れを示したフローチャートである。信号処理部３００は，光ピックアップ１４０がデータ信号を読込むと，該データ信号に基づいて再生クロックを生成する（Ｓ５００，Ｓ５０４）。続いて，所定のアドレス情報が検出されると，再生クロックのパルス数をカウントする（Ｓ５０８）。そして，該カウント値に基づいて光ディスク２００の回転角を検出し（Ｓ５１２），印刷部がレーベル情報を印刷する（Ｓ５１６）。具体的には，プリント制御部１７０がプリントヘッド１１０の半径位置と回転角に応じてインクの吐出を制御することにより，光ディスク２００のレーベル面に高精細なレーベル情報を印刷することができる。
【０１１３】
さらに，以上説明した光ディスク装置１００の動作全体の流れを説明する。
【０１１４】
図１４は，光ディスク装置１００の動作の全体の流れを示したフローチャートである。まず，光ディスク装置１００にレーベル情報の印刷が要求されると，光ディスク２００がチャッキングされているか否かを判断する（Ｓ６０４，Ｓ６０８）。光ディスク２００がチャッキングされていないと判断されると，チャッキング部１３８が光ディスク２００をチャッキングする（Ｓ６１２）。
【０１１５】
Ｓ６０８において光ディスク２００がチャッキングされていると判断された場合，およびＳ６１２において光ディスク２００がチャッキングされた後，スピンドルモータ１３４が光ディスク２００の回転を開始する（Ｓ６１６）。そして，プリントヘッド１１０に装着されていたヘッドキャップ１１４の内側を大気圧にし（Ｓ６２０），プリントヘッド１１０はインクのダミー吐出を行う（Ｓ６２４）。次に，吸引ポンプ１１６は，ヘッドキャップ１１４のプリントヘッド１１０によりダミー吐出されたインクを吸引し（Ｓ６２８），ブレード１２４をプリントヘッド１１０のノズル面を払拭できる位置に移動させる（Ｓ６３２）。
【０１１６】
そして，プリントヘッド１１０を印刷開始位置に移動させ，該移動の過程でプリントヘッド１１０のノズル面１５０をブレード１２４により払拭する（Ｓ６３６）。次に，上記説明した信号処理部３００の回転角検出に基づく印刷処理を行い（Ｓ６４０），必要に応じてプリントヘッド１１０を光ディスク２００の半径方向に移動させる（Ｓ６４８）。ここで，レーベル情報の印刷が終了したか否かを判断し（Ｓ６５２），レーベル情報の印刷が終了したと判断した場合には光ディスク２００の回転を停止させる（Ｓ６５６）。レーベル情報の印刷が終了していないと判断した場合には，Ｓ６４０に戻ってレーベル情報の印刷を継続する。
【０１１７】
次に，プリントヘッド１１０を印刷待機位置に移動させ，該移動の過程でプリントヘッド１１０のノズル面１５０をブレード１２４により払拭する（Ｓ６６０）。そして，ブレード１２４を待機位置へ移動させ（Ｓ６６４），プリントヘッド１１０はインクのダミー吐出を行う（Ｓ６６８）。次に，吸引ポンプ１１６は，ヘッドキャップ１１４のプリントヘッド１１０によりダミー吐出されたインクを吸引し（Ｓ６７６），ヘッドキャップ１１４はプリントヘッド１１０のノズル面１５０に装着される（Ｓ６４６）。
【０１１８】
なお，このような光ディスク装置１００により印刷されるレーベル情報の形式は，自由に設定することができる。
【０１１９】
図１５は，光ディスク２００のレーベル面に印刷されたレーベル情報の一例を示した説明図である。レーベル情報は，番組名，放送日時および題目を含むことができ，また，番組の内容を示す写真や絵などの画像も含むことができる。
【０１２０】
図１５（ａ）は，レーベル情報を光ディスク２００のレーベル面に横書きした例を，図１５（ｂ）は，レーベル情報を光ディスク２００のレーベル面に縦書きした例を示している。印刷形式はこれに限られることなく，円周方向や螺旋状など多様な形式とすることができる。また，印刷するレーベル情報の項目，文字のサイズおよび文字のフォントなども適宜選択することができる。
【０１２１】
以上説明したように，本実施形態による光ディスク装置１００は，光ディスク２００の絶対的な回転角をリアルタイムで検出しながらレーベル情報の印刷を行うことができる。また，光ディスク２００上の，レーベル情報の印刷位置を特定することができるため，該レーベル情報の印刷位置を光ディスク２００の記録面や外部記憶装置に記録しておくことにより，追加的に光ディスク２００の未印刷領域にレーベル情報を印刷することが可能となる。
【０１２２】
また，本実施形態において，信号処理部は，通常のＤＶＤディスクに記録されているピット列やマーク列をそのまま使うことができる。したがって，光ディスク２００には，安価に市販されている追記型ＤＶＤディスクをそのまま用いることが可能である。
【０１２３】
（第２の実施形態）
次に，本発明の第２の実施形態による光ディスク装置１００について説明する。
【０１２４】
本実施形態による光ディスク装置１００は，光ピックアップ１４０の半径位置をほぼ一定に保って光ディスク２００の回転角を検出する点で第１の実施形態の光ディスク装置１００と大きく異なる。
【０１２５】
図１６は，本実施形態による光ディスク装置１００の信号処理部３００の構成を示したブロック図である。信号処理部３００は，ＲＦアンプ３０４と，イコライザ３０８と，２値化部３１２と，ＰＬＬ３１４と，ＮＲＺＩ復調部３１６と，ＳＹ０検出部３１８と，タイミングジェネレータ（ＴＧ）３２０と，８／１６復調部３２２と，レジスタ部３２４と，アドレス出力部３５８と，ＩＥＤチェック回路３６０と，リセット信号生成部３６４と，カウンタ３７０と，回転角検出部３８０とを含む。
【０１２６】
ＲＦアンプ３０４と，イコライザ３０８と，２値化部３１２と，ＰＬＬ３１４と，ＮＲＺＩ復調部３１６と，８／１６復調部３２２と，レジスタ部３２４と，ＳＹ０検出部３１８と，タイミングジェネレータ（ＴＧ）３２０と，アドレス出力部３５８の構成および動作は，第１の実施形態で説明した光ディスク装置１００と実質的に同一であるので説明を省略する。
【０１２７】
ＩＥＤチェック回路３６０は，ＩＥＤ０レジスタ３２６，ＩＥＤ１レジスタ３２８およびアドレス出力部３５８の出力に基づいてＩＥＤ情報４１４が正しいか否かを判断する。ＩＥＤ情報４１４が正しく，かつアドレス出力部３５８の出力により定まるアドレス情報４１２が所定値であった場合に，リセット信号生成部３６４にリセット信号の生成を指示する。
【０１２８】
リセット信号生成部３６４は，リセット信号の生成をＩＥＤチェック回路３６０から指示されると，カウンタ３７０のカウント値をリセットするリセット信号を生成し，カウンタ３７０に出力する。
【０１２９】
カウンタ３７０は，ＰＬＬ３１４から入力される再生クロックのパルス数をカウントする。また，リセット信号が入力されると，それまでカウントしたカウント値をリセットする。回転角検出部３８０は，カウンタ３７０のカウント値の入力に基づいて光ディスク２００の回転角を検出する。
【０１３０】
一方，ドライブ制御部はＩＥＤチェック回路からのアドレス情報の入力に基づいて，光ピックアップが所定のジャンプ位置に到達したと判断すると，光ピックアップ１４０を内周側のトラックにトラックジャンプさせる。かかる構成により，光ピックアップ１４０の半径位置をほぼ一定に保って光ディスク２００の回転角を検出することが可能となる。
【０１３１】
具体例として，図８に示したセクタ４１０のアドレス情報「０３００００」を検出したときに，リセット信号生成部３６４がカウンタのカウント値をリセットし，また，セクタ４３０のアドレス情報「０３００１Ｄ」を検出したときに光ピックアップ１４０を内周側のトラックにトラックジャンプさせることができる。この場合，光ピックアップ１４０のレーザー照射位置は約半径２４ｍｍの領域に留まり，「０３００００」〜「０３００１Ｄ」のアドレス情報が繰返し検出される。
【０１３２】
次に，本実施形態における信号処理部３００の動作の流れを説明する。
【０１３３】
図１７は，信号処理部３００の動作の流れを示したフローチャートである。信号処理部３００は，光ピックアップ１４０がデータ信号を読込むと，該データ信号に基づいて再生クロックを生成する（Ｓ７００，Ｓ７０４）。続いて，カウンタ３７０により再生クロックのパルス数をカウントする（Ｓ７０８）。そして，アドレス情報を検出し（Ｓ７１２），該アドレス情報に基づいて光ピックアップ１４０が所定位置に到達したか否かを判断する（Ｓ７１６）。光ピックアップ１４０が所定位置に到達したと判断した場合，光ピックアップ１４０を光ディスク２００の内周側にトラックジャンプさせる（Ｓ７２０）。
【０１３４】
Ｓ７１６において光ピックアップ１４０が所定位置に到達していないと判断した後，またはＳ７２０の処理の後に，アドレス情報が所定値であるか否かを判断する（Ｓ７２４）。アドレス情報が所定値であると判断した場合には，カウンタ３７０のカウント値をリセットする（Ｓ７２８）。
【０１３５】
Ｓ７２４においてアドレス情報が所定値でないと判断した後，またはＳ７２８の処理の後，カウンタのカウント値に基づいて回転角を検出する（Ｓ７３２）。最後に，印刷部が該回転角に基づいてレーベル情報の印刷をする（Ｓ７３６）。
【０１３６】
このように，本実施形態による光ディスク装置１００は，光ピックアップ１４０をほぼ同一の半径位置に配することができる。したがって，光ディスク２００の半径位置による再生クロックの周期の不均一性の影響を受けることなく，ほぼ一定の再生クロックに基づいて光ディスク２００の回転角を検出することができる。
【０１３７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１３８】
例えば，第二の実施形態において，カウンタ３７０のカウント値をリセットするタイミングおよび光ピックアップをトラックジャンプさせるタイミングは上記の例に限られることなく，最外周部や，中間部のトラック上で検出されるアドレス情報に基づいて行われるとしてもよい。またクロック信号を得るために、データ領域が未記録の場合も想定される。このような場合には、光ディスク２００上に予め記録されているプリグルーブのウォブル（蛇行）情報を検出して、再生クロックとアドレス情報を検出することも、勿論可能である。
【０１３９】
また，第二の実施形態において，光ピックアップ１４０をトラックジャンプさせる際に再生クロックが乱れる場合が考えられる。したがって，光ピックアップ１４０のトラックジャンプを開始してから所定期間，例えば次にカウンタ３７０がリセットされるまでの期間ではＰＬＬ３１４の位相比較を停止させ，それまでに出力した正常な再生クロックの出力を維持させるとしてもよい。
【０１４０】
または，ＰＬＬが，データ信号に含まれる同期信号の周期を検出し，該同期信号の周期が異常であると判断した期間は，それまで生成していた再生クロックの生成を維持するとしてもよい。例えば，直前１０パルス分の同期信号の平均周期の３０％以上周期が増減した場合に同期信号の周期が異常であると判断することができる。
【図面の簡単な説明】
【０１４１】
【図１】本実施形態による光ディスク装置の外観図である。
【図２】本実施形態による光ディスク装置の内部構成を示した平面図である。
【図３】本実施形態による光ディスク装置の内部構成を示した側面図である。
【図４】光ディスクの図２のＡ−Ａ線における断面の概略を示した説明図である。
【図５】本実施形態による光ディスク装置の信号の流れを示したブロック図である。
【図６】極座標変換の工程を示した説明図である。
【図７】光ディスクの記録面のトラック構造を示した模式図である。
【図８】光ディスクの記録面のトラック構造をより詳細に示した模式図である。
【図９】トラックを構成する各セクタの構造を示した説明図である。
【図１０】同期パターンの構成を示した説明図である。
【図１１】光ディスク装置の信号処理部の詳細な構成を示した説明図である。
【図１２】カウンタのカウント値と光ディスクの回転角の関係の一例を示した説明図である。
【図１３】信号処理部の動作の流れを示したフローチャートである。
【図１４】光ディスク装置の動作の全体の流れを示したフローチャートである。
【図１５】光ディスクのレーベル面に印刷されたレーベル情報の一例を示した説明図である。
【図１６】本実施形態による光ディスク装置の信号処理部の構成を示したブロック図である。
【図１７】信号処理部の動作の流れを示したフローチャートである。
【符号の説明】
【０１４２】
１００      光ディスク装置
１３０      トレイ
１４０      光ピックアップ
１６０      インターフェース部
１６２      中央制御部
１６６      レイアウト構成部
１７０      プリント制御部
１８０      ドライブ制御部
２００      光ディスク
３００      信号処理回路
３１４      ＰＬＬ
３２４      レジスタ部
３６０      リセット信号生成部
３７０      カウンタ
３８０      回転角検出部
【図１】
2007280510.tif 000003
【図２】
2007280510.tif 000004
【図３】
2007280510.tif 000005
【図４】
2007280510.tif 000006
【図５】
2007280510.tif 000007
【図６】
2007280510.tif 000008
【図７】
2007280510.tif 000009
【図８】
2007280510.tif 000010
【図９】
2007280510.tif 000011
【図１０】
2007280510.tif 000012
【図１１】
2007280510.tif 000013
【図１２】
2007280510.tif 000014
【図１３】
2007280510.tif 000015
【図１４】
2007280510.tif 000016
【図１５】
2007280510.tif 000017
【図１６】
2007280510.tif 000018
【図１７】
2007280510.tif 000019